(57)【要約】【課題】扉用シャッタ装置において、シャッタの昇降動作の安定性を高めて故障を少なくし、操作性も軽く良好にする。【解決手段】扉用シャッタ装置Ｒは、開き戸Ｄを施解錠するラッチ錠Ａと、ラッチ錠の施解錠動作と連動して開き戸Ｄと床面Ｆとの間の隙間Ｓを開閉するシャッタユニットＣと、ラッチ錠内で操作具のサムタン２５の回転運動を変換した直線運動をシャッタユニットへ伝達する運動伝達ユニットＢの３体からなる。閉状態の開き戸を施解錠するとき、回動カム２１の操作具を回転すると、その回転方向に応じて、操作具の回転運動を直線運動に変換して伝達されると、可動アーム３０はシャッタを降下させる下段位置とシャッタ５５を上昇させる上段位置との間をシャッタの昇降方向に強制的に平行移動させる回動規制部を錠ケースＭに形成する。【選択図】          図１
2017025542.tif 000002
【特許請求の範囲】
【請求項１】
開き戸を閉じて室内を使用するときにシャッタを降ろして前記開き戸と床面間に開いた通気用隙間を遮蔽する扉用シャッタ装置において、
閉状態の前記開き戸を施解錠するとき、操作具を回転すると、その操作具の回転運動を直線運動に変換し、前記シャッタが降りて前記隙間を塞ぐ下段位置と前記シャッタが上昇して前記隙間を開ける上段位置の間を上下に連動部を移動する可動アームを錠ケースに備えた錠前と、
前記シャッタと、該シャッタを収める高さの格納位置と前記隙間を塞ぐ高さの遮蔽位置に昇降可能に吊持するシャッタケースを有するシャッタユニットと、
ロッドバーの上端には、前記連動部を係合部に係合して前記可動アームと連動するジョイントを装着し、下端に前記シャッタを踏み込んで格納位置に上昇させる足部材を装着したリンク体を、前記開き戸内の戸先側に高さ方向上下に直線往復動可能に組み込む運動伝達ユニットを備え、
前記錠前には、前記操作具を回転すると、その回転方向に応じて前記可動アームを、前記上段位置と前記下段位置の間を前記シャッタの昇降方向に平行移動させる回動規制部を前記錠ケースに形成することを特徴とする、扉用シャッタ装置。
【発明の詳細な説明】
【技術分野】
【０００１】
本発明は、トイレなど、開き戸で閉じて室内を使用するときにシャッタを降ろして開き戸と床面間に開いた通気用の隙間を遮蔽する扉用シャッタ装置に関する。
【背景技術】
【０００２】
戸建てやマンションなど一般住宅の建築では、シックハウス症候群の予防など、環境衛生上の理由から、室内に良好な通気性が求められ、従って、開き戸にも、床面との間に通気用の隙間を設けるように建築規制上の指導を受けている。しかし、一方で、トイレなど、用途によっては、音や臭いが漏れないように密閉性が求められる室があり、従って、その種の室では、開き戸と床面との間に隙間を設けると、隙間から漏れる音や臭いが気になるという問題がある。
【０００３】
そこで、従来、室内の通気性と密閉性という２つの相反する要請に応えて、本締め錠やラッチ錠など錠前の操作具による施解錠操作に連動させてシャッタを昇降させて、開き戸と床面間の隙間を開閉する構造とし、これにより、開き戸を閉めて室内を使用する間だけシャッタで開き戸と床面間の隙間を塞ぐようにする、扉用シャッタ装置が提案されている。
【０００４】
この従来の扉用シャッタ装置は、例えば図３１に示すように、ラッチボルト１を、錠面ｚに開いたボルト出入口を通して頭部のラッチ１ａを戸枠側に開いたボルト受口８に係脱させて開き戸ｄを施解錠するラッチ錠ｋと、開き戸ｄと床面ｆとの間の隙間ｓを開閉するシャッタユニットａと、ラッチ錠ｋのレバーハンドルの回動操作の運動をシャッタユニットａに伝達するリンクユニットｂとを備え、開き戸ｄを閉じて施錠するとき、ラッチ錠ｋを、図３２に示すように、サムタンを正方向に回転してカムレバー３を先端の連結凸部３ａが上向きの傾き姿勢となる第１位置に回動すると、リンクユニットｂのロッドバー４ａが、上端のジョイント４ｂに嵌合したカムレバー３の連結凸部３ａが上向きに傾いた高さ上昇し、下端の足部材４ｃがシャッタユニットａの揺動杆５の突片部５ａ上から退避するため、揺動杆５が重力により突片部５ａと反対側の係止部５ｂが下向きに揺動してシャッタ６を降ろし開き戸ｄと床面ｆとの間の隙間ｓを遮蔽する構造になっている（特許文献１参照）。
【先行技術文献】
【特許文献】
【０００５】
【特許文献１】特開２００９−１４５８４８号公報
【発明の概要】
【発明が解決しようとする課題】
【０００６】
ところで、従来の扉用シャッタ装置では、シャッタ６を開閉するとき、図３３に示すように、サムタン２を正逆方向に回動すると、同軸のカムレバー３が上側の第１位置と下側の第２位置の間を回動するが、そのとき、カムレバー３は、サムタン２と一体の角軸２ａを支点として先端の連結凸部３ａが、振り子運動のように円弧の軌道を描いて回動し、回動支点Ｐと軌道上にある連結凸部３ａの中心点Ｑが扉幅方向に変動するため、中心点Ｑが変動する連結凸部３ａであっても余裕をもって嵌まる大きさに、ジョイント４ｂの嵌合凹部７を凹設するが、この種建具の製作精度も専門業者でも一定ではないため、連結凸部３ａと嵌合凹部７の嵌め合いにバラツキを生じ、その結果、嵌め合いが外れてシャッタ６の昇降動作も安定性に欠けて故障しやすいという課題があった。
【０００７】
一方、カムレバー３の長さを長くすることにより、回動支点Ｐと軌道上にある連結凸部３ａの中心点Ｑが変動する長さを短くしようとしても、カムレバー３を長くなる分、却ってカムレバー３自体が重くなり、また、作用点までが遠くなるために操作がおもくそれだけ操作具のサムタン２の回動操作が重たくなって操作性が悪いという課題があった。
【０００８】
そこで、本発明の目的は、扉用シャッタ装置において、シャッタの昇降動作の安定性を高めて故障を少なくし、操作性も軽く良好にすることにある。
【課題を解決するための手段】
【０００９】
請求項１に記載の発明は、たとえば以下に示す図示実施の形態のとおり、開き戸Ｄを閉じて室内を使用するときにシャッタ５５を降ろして前記開き戸Ｄと床面Ｆ間に開いた通気用隙間Ｓを遮蔽する扉用シャッタ装置Ｒにおいて、閉状態の前記開き戸Ｄを施解錠するとき、操作具を回転すると、その操作具の回転運動を直線運動に変換し、前記シャッタ５５が降りて前記隙間を塞ぐ下段位置と前記シャッタ５５が上昇して前記隙間を開ける上段位置の間を上下に連動部を移動する可動アーム３０を錠ケースに備えたラッチ錠Ａの錠前と、前記シャッタ５５と、該シャッタを格納する高さの格納位置と前記隙間を塞ぐ高さの遮蔽位置とに昇降可能に吊持するシャッタケース５０を有するシャッタユニットＣと、ロッドバー７５の上端には、前記連動部３０ｃを係合部に係合して前記可動アーム３０に連動するジョイント７６を装着し、下端に前記シャッタ５５を踏み込んで格納位置に上昇させる足部材７７を装着したリンク体Ｌを、前記開き戸Ｄ内の戸先側に高さ方向上下に直線往復動可能に組み込む運動伝達ユニットＢを備え、前記錠前には、操作具を回転すると、その回転方向に応じて前記可動アーム３０を、前記上段位置と前記下段位置の間を前記シャッタ５５の昇降方向に平行移動させる回動規制部を前記錠ケースＭに形成することを特徴とする。
【発明の効果】
【００１０】
請求項１に記載の発明では、閉状態の開き戸を施解錠するとき、操作具を回転すると、その操作具の回転運動を直線運動に変換して伝達され、可動アームは、シャッタが降りて通気用隙間を塞ぐ下段位置とシャッタが上昇して通気用隙間を開ける上段位置との間を、シャッタの昇降方向に強制的に平行移動させる回動規制部を錠ケースに形成するから、可動アームが振り子運動のように円弧の軌道を描いて回転することがなく、上段位置と下段位置との間を常に上下方向に直線移動し、回転軌道上にある連動部の中心点が扉幅方向に変動することも一切なく、余裕をもって嵌まる大きさに、わざわざジョイントの係合部を形成する必要もなく、従って、それら連動部と係合部の嵌め合いにバラツキを生じず、その結果、シャッタの昇降動作の安定性を高めて故障を少なくすることができる。しかも、請求項１に記載の発明では、可動アームは、必要以上余計に長くする必要がないから、その分重くならずに済み、それだけ操作性も軽く良好にすることができる。
【図面の簡単な説明】
【００１１】
【図１】（Ａ）本発明の一例である扉用シャッタ装置を、ラッチ錠の解錠状態において内部機構を示す縦断面図（Ｂ）施錠状態において内部機構を示す縦断面図である。
【図２】（Ａ）扉用シャッタ装置を組み込んだ開き戸をシャッタ降下状態において示す正面図（Ｂ）側面図である。
【図３】（Ａ）同じ開き戸をシャッタ格納で示す正面図（Ｂ）側面図である。
【図４】同じ開き戸の室内側を示す正面図である。
【図５】ラッチ錠の分解斜視図である。
【図６】ラッチ錠の分解斜視図である。
【図７】ラッチ錠の分解斜視図である。
【図８】ラッチ錠の分解斜視図である。
【図９】（Ａ）ラッチ錠の回動カムを示す斜視図（Ｂ）正面図（Ｃ）左側面図（Ｄ）右側面図（Ｅ）背面図である。
【図１０】ラッチ錠の組立斜視図である。
【図１１】防音リングを示す斜視図（Ｂ）反対側から見た斜視図（Ｃ）背面図（Ｄ）側面図（Ｅ）平面図である。
【図１２】ラッチ錠のラッチ防音構造を示す縦断面図である。
【図１３】ラッチ錠のラッチ防音作用を説明する縦断面図である。
【図１４】シャッタユニットの組立斜視図である
【図１５】シャッタユニットの分解斜視図である。
【図１６】（Ａ）シャッタガイドを示す正面図（Ｂ）斜視図（Ｃ）斜視図である。
【図１７】（Ａ）シャッタガイドの施錠時防音作用を説明する縦断面図である。
【図１８】（Ａ）シャッタガイドの中間防音作用を説明する縦断面図である。
【図１９】（Ａ）シャッタガイドの衝突時の防音作用を説明する縦断面図（Ｂ）部分拡大図である。
【図２０】シャッタキャップを備えるシャッタユニットの分解斜視図である。
【図２１】（Ａ）シャッタキャップを示す斜視図（Ｂ）斜視図（Ｃ）正面図（Ｄ）正面図である。
【図２２】（Ａ）シャッタキャップの施錠時防音作用を説明する縦断面図（Ｂ）部分拡大図である。
【図２３】（Ａ）シャッタキャップの中間防音作用を説明する縦断面図（Ｂ）部分拡大図である。
【図２４】（Ａ）シャッタキャップの衝突時防音作用を説明する縦断面図（Ｂ）部分拡大図である。
【図２５】運動伝達ユニットの組立斜視図である。
【図２６】運動伝達ユニットの分解斜視図である。
【図２７】（Ａ）運動伝達ユニットの背面図（Ｂ）側面図である
【図２８】運動伝達ユニットの解錠時の状態を示す拡大側面図である。
【図２９】運動伝達ユニットの施錠時の状態（ばね圧縮なし）を示す拡大側面図である。
【図３０】運動伝達ユニットの解錠時の状態（ばね圧縮最大）を示す拡大側面である。
【図３１】従来の扉用シャッタ装置の組み込んだ開き戸をシャッタ格納状態で示す正面図である。
【図３２】同じ開き戸をシャッタ降下状態で示す正面図である。
【図３３】従来の扉用シャッタ装置に備える錠前を示す正面図である。
【発明を実施するための形態】
【００１２】
以下、図面を参照しつつ、本発明の実施形態について説明する。
図１（Ａ）は本発明の一例である扉用シャッタ装置を、ラッチ錠の解錠状態において内部機構を示す縦断面図、（Ｂ）は施錠状態において内部機構を示す縦断面図、図２は扉用シャッタ装置を組み込んだ開き戸をシャッタ格納状態で示す正面図、図３は開き戸をシャッタ降下状態で示す正面図、図４は開き戸の室内側を示す正面図である。図示実施の形態では、扉用シャッタ装置Ｒをトイレの開き戸Ｄに適用する。
【００１３】
開き戸Ｄは、中空の木製パネルで、上下の横框１０ａ・１０ｂと、左右の縦框１０ｃ・１０ｄと、各框間の縦桟１０ｅおよび横桟１０ｆとで格子状に組んだ枠体１０を間に挟んで、鏡板材１１・１１を張り合わせて組み立ててなる。戸先側（図中左）の縦框１０ｃには、木口面から厚さ方向に縦長な錠前取付口１０ｇを穿設する。開き戸Ｄは、床面Ｆとの間に通気用の隙間Ｓを開けて、戸枠Ｔにヒンジで戸尻側縦框１０ｄを軸として回動自在に取り付ける。なお、戸枠Ｔの戸先側縦枠材ｐには、錠前取付口１０ｇと対向する高さ位置にストライク穴３９を凹設している。ストライク穴３９は、入り込むラッチ１５ａに対応して四角い角穴により形成し、内壁面から開口縁周りに架けて金属板を張った受け金具ｎで補強している。
【００１４】
扉用シャッタ装置Ｒは、図４に示すように、開き戸Ｄを施解錠するラッチ錠（錠前）Ａと、ラッチ錠Ａの施解錠動作と連動して開き戸Ｄと床面Ｆとの間の隙間Ｓを開閉するシャッタユニットＣと、ラッチ錠Ａ内で操作具のサムタン２５の回転運動を変換した直線運動をシャッタユニットＣへ伝達する運動伝達ユニットＢの３体からなる。
【００１５】
ラッチ錠Ａは、レバーハンドル１２の回転操作でラッチボルト（錠ボルト）１５を錠面Ｊに開けたボルト出入口２９ａから出没させて開き戸Ｄを施解錠するケース錠で、図１、図５、図６および図７に示すように、錠ケースＭ内に、ラッチボルト１５のラッチガイド手段Ｇと、サムタン２５の回転運動を直線運動に変換する運動変換手段Ｅを内設する。
【００１６】
ラッチガイド手段Ｇは、回動ハブ１８、ハブ押え１９、圧縮コイルスプリングのハブ付勢ばね１４、ガイドフレーム１６、圧縮コイルスプリングのラッチ付勢ばね１３を備える。
【００１７】
運動変換手段Ｅは、トリガ２４、ガイドプレート２０、圧縮コイルばねのトリガ付勢ばね３１、連動プレート３２、回動カム２１、リンク２２、可動アーム３０、ねじりコイルばねのカム付勢ばね２３を備える。
【００１８】
錠ケースＭは、片側開放の浅底なケース本体２６に蓋板２７を被せて薄箱状に組み立てる。ケース本体２６は、幅方向（図中左右）一側の縦長な前板部２６ａに細長い金属板製の取付板２８を重ねて固着し、高さ方向（図中上下）中間に矩形なボルト出入口２９ａを設け、その上段位置にトリガ口２９ｂを開ける。反対側の後板部２６ｂには、縦長矩形に切り欠いて第１回動規制穴３５を設ける。第１回動規制穴３５には、縦長の対向する穴縁にガイド溝３５ａを設けている。
【００１９】
側板部２６ｃには、上板部２６ｅ寄りにカム軸受穴３４を設け、トリガ口２９ｂから後板部２６ｂ間にレール溝４９を凹設し、レール溝４９のトリガ口２９ｂ近くにガイドピン４４を、ばね掛けピン４３と上下に並べて立設し、下板部２６ｄ寄りにハブ軸受穴３３とハブ押え取付穴３２を設ける。更に、ボルト出入口２９ａの手前に仕切壁２６ｆで運動変換室Ｎと仕切ってラッチ室Ｖを形成する。運動変換室Ｎの第１回動規制穴３５の手前に縦長厚板状のガイド突起２６ｇを立設する。下板部２６ｃに沿ってばね収納室３６を凹設する。蓋板２７にも、図８に示すように、ケース本体２６側と同じハブ軸受穴３３、第１回動規制穴３５等を設けるほか、第１回動規制穴３５と平行に細長い第２回動規制穴４６を設けると共に、ハブ軸受穴３３の下側にハブ押え１９のガイド穴４７を設ける。
【００２０】
ラッチボルト１５は、図６に示すように、先端面がテーパのラッチ（頭部）１５ａと、ラッチ１５ａに被せるキャップ３７と、軸基端をラッチ１５ａの首部１５ｂに挿設したラッチ軸１５ｃとからなり、ラッチ１５ａには、首部１５ｂの外周に環状の掛止め溝１５ｄを凹設する。
【００２１】
ラッチガイド手段Ｇにおいて、ガイドフレーム１６は、金属板をＬ形に屈曲し、更に一端に第１係止片１６ａを他端の第２係止片１６ｂと平行に直角に曲げ延ばし、第２係止片１６ｂにＵ形に切り欠いた掛止め凹部１６ｃを設ける。回動ハブ１８は、図５に示すように、ボス部１８ａの中心にレバーハンドル１２の断面矩形の回動軸部が嵌挿する断面星形の回転伝達穴１８ｂを穿設する一方、外周面に第１係止突起１８ｃと第２係止突起１８ｄを互いに直角な向きで上下に突設し、第１係止突起１８ｃと平行に第３係止突起１８ｅを突設する。ハブ押え１９は、樹脂製で、先端に回動ハブ１８の第２係止突起１８ｄと相似形の突当て凸部１９ａを突設する一方、基端側の端面には、先端側に向けてばね掛け凸部１９ｂを突設する。突当て凸部１９ａの両側面に一対の取付凸部１９ｃを設ける。
【００２２】
そこで、ラッチガイド手段Ｇは、図６に示すように、ボルト出入口２９ａからラッチ１５ａが突出した状態でラッチボルト１５を本体ケース２６内のラッチ室Ｖに内設し、ラッチ軸１５ｃの先端を、図６および図７に示すように、ガイドフレーム１６の掛止め凹部１６ｃに通してラッチ付勢ばね１３を巻装する。一方、ラッチ１５ａの掛止め溝１５ｄに、ガイドフレーム１６の第１係止片１６ａの掛止め凹部１６ｃを係合し、ラッチボルト１５を、ラッチ室Ｖ内で扉幅方向に移動して進退可能に保持する。そのとき、ラッチボルト１５は、仕切り壁２６ｆにばね一端を掛けたラッチ付勢ばね１３の他端を、ガイドフレーム１６の第１係止片１６ａに押し当て、ラッチ付勢ばね１３をガイドフレーム１６と仕切り壁２６ｆ間で挟持し、ラッチ付勢ばね１３で常時付勢してラッチ１５ａがボルト出入口２９ａから突出した状態で保持する。
【００２３】
回動ハブ１８は、図５および図６に示すように、ボス部１８ａを錠ケースＭのハブ軸受穴３３に嵌着し、第１係止突起１８ｃを、図７に示すように、仕切り壁２６ｆとガイドフレーム１６の第２係止片１６ｂとの間に挟み、第２係止突起１８ｄにハブ押え１９の突当て凸部１９ａが突き当たり、ハブ付勢ばね１４の付勢力で下板部２６ｃ上を直線的に摺動するハブ押え１９に押され、第１係止突起１８ｃをガイドフレーム１６の第２係止突起１６ｂに押し当った状態で保持する。
【００２４】
次に、運動変換手段Ｅにおいて、連動プレート３２は、金属板で、図６中下側の規制凸部３２ａを、本体ケース２６の後板部２６ｂの平板形状に合わせて片側縁を直線的に形成し、片側側縁に沿って長いガイド穴３７を設ける。一方、他側の側縁には、回動ハブ１８の第３係止突起１８ｅが当接する下端の第１規制凸部３２ａと、回動カム３２の外周凸部２１ｃに当接する上端の第２規制凸部３２ｂと、第１および第２規制凸部３２ａ・３２ｂ間に山形の第３規制凸部３２ｃを突設する。
【００２５】
トリガ２４は、図５および図６に示すように、先細山形の突出部２４ａと、突出部２４ａに対して直角に立てたガイド板部２４ｂと、ガイド板部２４ｂと突出部２４ａ間に設けるばね当て段部２４ｃとからなる。ガイドプレート２０は、片側の長さ方向にガイド穴６１を設け、他側に板幅方向一側に向け突出した突当て凸部２０ａを形成し、ガイド穴６１にガイドピン４４を係合してレール溝４９にスライド可能に嵌め込み、ガイド穴６１に内装したトリガ付勢ばね３１を介してトリガ２４と連結し、常時は突出部２４ａがトリガ口２９ｂから突出する一方、突き当て凸部２０ａがトリガ付勢ばね３１の付勢力により回動カム２１に押し当たって回動カム２１の回動を規制する。従って、図示例では、トリガ２４をばね付勢力に抗して押し込んで回動カム２１の回転規制を解いた状態にしてからでないとシャッタ５５を開閉するサムタン２５の回動操作ができない構成になっている。
【００２６】
この回動カム２１は、金属製で、図７、図８および図９に示すように、変形円筒状のボス部２１ａの外周から径方向外向きに段付きの振り子部２１ｂを突設する。振り子部２１ｂは、下段側先端にばね掛けピン２１ｃをそれぞれ横向きに突設し、上段側先端にリンク連結ピン２１ｄを突設する。ボス部２１ａは、中心に、図９および図１０に示すように、サムタン２５の断面矩形な回動軸２５ａが嵌挿する、同じ矩形の回転伝達穴４５が穿設され、振り子部２１ｂ側の外周に回動規制面２１ｅを形成する。リンク２２は、図７に示すように、両端に連結用ピン穴４１・４２を設ける。
【００２７】
可動アーム３０は、肉抜きして梯子状に形成し、長さ方向中間の幅方向に一対の規制リブ３０ａを凸設し、基端部に厚板なサムタン形状の連結凸部３０ｂを設け、それぞれ第１および第２回動規制穴３５・４６に合わせて幅方向に直線状に形成する。
【００２８】
そこで、運動変換手段Ｅは、図６および図７に示すように、ガイド穴３７にガイド突起２６ｇを嵌合して連動プレート３２を運動変換室Ｎにおいて図中上下に移動可能に配置する。次いで、回動カム２１は、ボス部２１ａをカム軸受穴３４に嵌着して回動可能に枢支し、振り子部２１ｂの連結ピン２１ｅを一端のピン穴４１に嵌め込んでリンク２２を連結する。リンク２２は、他端のピン穴４２に連結凸部３０ｂを嵌め込んでリンク２２に、先端部３０ｃが第１回動規制穴３５から突出状態の可動アーム３０を連結する。可動アーム３０は、規制リブ３０ａをガイド溝３５ａに係合してから、回動カム２１のばね掛けピン２１ｄにカム付勢ばね２３の一端を掛け、他端を固定のばね掛けピン４３に掛けけて図１（Ａ）中時計方向に回転付勢されるが、本体ケース２６に蓋板２７を被せて連結凸部３０ｂを第２回動規制穴４６に係合すると、第１および第２回動規制穴３５・４６の下穴縁３５ｂ・４６ａに押し当り下段位置に水平に保持される。
【００２９】
図示例では、運動変換手段Ｅのガイドプレート２０の突き当て凸部２０ａがトリガ付勢ばねの付勢力により回動カム２１の回動規制面２１ｅに押し当たって回動カム２１の回動を規制する。従って、トリガ２４をばね付勢力に抗して押し込み、回動カム２１の回転規制を解いてから、シャッタ５５を開閉する操作具のサムタン２５の回動操作をする。
【００３０】
従って、扉用シャッタ装置Ｒにおいて、開き戸Ｄを開くときは、レバーハンドル１２を回転操作し、その回動軸部２５ａを嵌挿した回動ハブ１８が図１（Ａ）中時計方向に回動すると、ハブ外周の係止突起１８ｄがハブ付勢ばね１４に抗してハブ押え１９を押し込む一方、係止突起１８ｅが係止した連動プレート３２の第１規制凸部３２ａを押し上げて回動カム２１の回動規制面２１ｅから第２規制凸部３２ｂを外し、ガイドフレーム１６をラッチ付勢ばね１３に抗して後退し、ガイドフレーム１６に係着したラッチボルト１５は、ラッチ１５ａがボルト出入口２９ａから錠ケースＭ内に引っ込んだ退避位置にある。従って、レバーハンドル１２の回動操作を止めると、ハブ付勢ばね１４の付勢力が働き、図１（Ａ）に示すように、ハブ押え１９の突き当て凸部１９ａに回動ハブ１８が押されて図中反時計方向に回動し、すると、ラッチ付勢ばね１３の付勢力でガイドフレーム１６がラッチ側へ押し戻され、これにより、ラッチボルト１５は、ラッチ１５ａがボルト出入口２９ａから突出したラッチング位置へ自動的に前進して施錠する。
【００３１】
そこで、扉用シャッタ装置Ｒは、ラッチ錠Ａを施錠して開き戸Ｄのシャッタ５５を降ろすとき、サムタン２５を回転操作し、回動カム２１を図１（Ａ）中反時計方向にカム付勢ばね２３に抗して回動すると、リンク２２とのリンク運動を経てサムタン２５の回転運動が直線運動に変換され、可動アーム３０が第１回動規制穴３５の上穴縁３５ｃと第２回動規制穴４６の上穴縁４６ｃに当って係止する（図９参照）。そのとき、シャッタが降りて通気用隙間Ｓを塞ぐ下段位置とシャッタ５５が上昇して通気用隙間Ｓを開ける上段位置との間をシャッタ５５の昇降方向に強制的に平行移動させる回動規制部３５・４６を錠ケースＭに設けることにより、可動アーム３０が振り子運動のように円弧の軌道を描いて回転することがなく、上段位置と下段位置との間を常に上下方向に直線移動し、回転軌道上にある連動部３０ｃの中心点が扉幅方向に変動することも一切なく、余裕をもって嵌まる大きさに、わざわざジョイント７６の係合凹部８０を形成する必要もなく、従って、連動部３０ｃと係合凹部８０の嵌め合いにバラツキを生じず、その結果、シャッタ５５の昇降動作の安定性を高めて故障を少なくすることができる
【００３２】
しかも、扉用シャッタ装置Ｒでは、錠ケースＭに回転規制部３５・４６を設けることにより、可動アーム３０は、振り子運動が問題にならない構造だから、必要以上に長くしなくて済むことから、その分重くならずに済み、それだけ操作性も軽く良好にすることができる。
【００３３】
ところで、本発明の扉用シャッタ装置Ｒは、図１および図８に示すように、ラッチボルト１５のラッチ１５ａが進退するラッチ錠Ａのボルト出入口２９ａに防音リングＷを装着する。
【００３４】
防音リングＷは、樹脂材など、撓み可能な弾性材からなり、図１１に示すように、ボルト出入口２９ａの口枠２９ｃに設ける差込溝６１に差し込む鍔部６２と、内側に矩形なラッチ挿通口６４の開いたボルト出入口２９ａに嵌め込むリング本体６３と、リング本体６３のボルト出入口２９ａを通るラッチ１５ａと向き合う内面に設ける一対の緩衝アーム６３ａ・６３ｂからなる。特に、リング本体６３は、挿通するラッチ１５ａを囲い込む四角い枠状に形成し、緩衝アーム６３ａ・６３ｂは、本体のリング本体６３から左右対称に傾斜して立ち上がる先細な片持ち形状とし、材質上だけでなく形態上においても撓み易くしている。
【００３５】
防音リングＷは、図１２に示すように、ラッチ１５ａとガイドフレーム１６の第１係止片１６ａの間にあって、緩衝アーム６３ａ・６３ｂが第１係止片１６ａと対向する向きにボルト出入口２９ａに配置し、鍔部６２を差込溝６１に差し込んで嵌着する。
【００３６】
従って、扉用シャッタ装置Ｒにおいて、ラッチ錠Ａは、例えば施錠時に、ラッチ付勢ばね１３の付勢力によりガイドフレーム１６ごとラッチ１５ａが押し出され、ボルト出入口２９ａを通ってストライク穴３９に位置したとき、図１３に示すように、防音リングＷのリング本体６３の手前で、先に緩衝アーム６３ａ・６３ｂにガイドフレーム１６の第１係止片１６ａが衝突する。しかし、ボルト出入口２９ａの口枠２９ｃに防音リングＷのリング本体６３を装着し、しかも、リング本体６３に、ボルト出入口２９ａを通るラッチボルト１５のラッチ１５ａと向き合う内側に一対の緩衝アーム６３ａ・６３ｂを突設し、ボルト出入口２９ａを間に挟んだ左右両側から対称的な向きに傾斜して立ち上がる片持ち構造にするから、防音リングＷは、緩衝アーム６３ａ・６３ｂが左右対称に撓み変形してガイドフレーム１６の第１係止片１６ａを受け止めてバランスよく弾力的に衝突の衝撃を緩衝する。
【００３７】
次いで、防音リングＷは、ラッチ１５ａを取り囲んだリング本体６３がボルト出入口２９ａで撓み変形し、ここでも弾力的に衝突の衝撃を緩衝し、こうして二段にわたり衝撃緩衝機能を働かせて、ラッチ錠Ａを施解錠操作する際に発生する不快な金属の衝突音を効果的に減音し、その結果、シャッタ５５の開閉時に金属同士の衝突音が広く響きわたり不快な騒音になるのを防止して静かにシャッタ５５を開閉することができる。
【００３８】
次に、シャッタユニットＣは、図１４および図１５に示すように、シャッタケース５０と、シャッタ５５と、揺動杆６０と、シャッタガイド６５を備えた構成になっている。
【００３９】
シャッタケース５０は、開き戸Ｄの下端に凹設した細長いシャッタ取付溝９１に対応して横長な形状に、アルミニウムの金属板を曲げて断面コ状の溝形に成形し、上板部５０ａの長さ方向片側に嵌込穴５１を設け、対向側板部５０ｂ・５０ｃの長さ方向両端側にガイド軸穴５２・５２を設けると共に、片側寄り上側にシャッタ軸穴５３を設ける。シャッタケース５０は、嵌込穴５１に細長い口形の樹脂製突片ガイド５４を嵌め込む。シャッタケース５０の両端にそれぞれシャッタキャップ６４を被せて両端溝穴９１ａを塞いで見栄えを良好にする。
【００４０】
シャッタ５５は、シャッタ本体５６にシール材５７を繋いでつくり、全体をシャッタケース５０の対向側板部５０ｂ・５０ｃに対応させて横長に形成する。シャッタ本体５６は、幅方向一側の縁を直角に曲げて、そこに鍔片部５６ａを形成する一方、他側縁の長さ方向に沿って断面Ｌ状リブを突設し、他側縁との間に取付細溝５６ｂを形成してなる。更に、シャッタ本体５６は、長さ方向片側のシャッタケース５０の嵌込穴５１と対応する位置に切欠き凹部５８を設け、長さ方向両端側のシャッタケース５０のガイド軸穴５２・５２と対応する位置に縦向きに嵌合長穴５９・５９を設けると共に、片側寄りのシャッタケース５０のシャッタ軸穴５３と対応する部位をＵ形に切り欠いて、逃げ凹部６１を設けてなる。シール材５７は、弾性材、例えばゴム製で、断面が幅方向片側の基部５７ａから他側の先端縁へ漸次薄肉に形成する。
【００４１】
そこで、シャッタ５５は、シール材５７の基部５７ａをシャッタ本体５６の取付細溝５６ｂに押し込んで、シール材５７をシャッタ本体５６に対して撓み可能に取り付けてなる。
【００４２】
揺動杆６０は、細長い梯子形を樹脂板をなだらかな山形に形成した本体板部６０ａと、本体板部６０ａの長さ方向一端側で本体板部６０ａに対し横向きに屈曲した係止部６０ｂと、他端側で本体板部６０ａに対しＬ状に図中上向きに伸びる突片部６０ｃとからなり、山形の本体板部６０ａの頂点ｘを突片部６０ｃ寄りにずらして形成し、頂点ｘの下側の偏心位置に軸穴６８を設ける。
【００４３】
そこで、シャッタユニットＣは、図１５に示すように、ガイドピン６６を、ガイド軸穴５２とシャッタガイド６５のスペーサ部６５ａに貫挿してシャッタケース５０の対向側板５０ｂ・５０ｃ間に横架し、シャッタ５５を、シャッタガイド６５の案内で嵌合長穴５９に沿って昇降可能にシャッタケース５０内で吊設する。次いで、支軸６７を、軸穴６８に貫挿して対向側板５０ｂ・５０ｃ間に横架し、揺動杆６０を、シャッタケース５０内で揺動自在に枢支したシーソー構造にする。そのとき、揺動杆６０の支点となる支軸６７が突片部６０ｃ寄りの偏心位置にあるため、シャッタユニットＣは、図１７に示すように、片側の突片部６０ｃがシャッタケース５０の突片ガイド５４から突出して揺動杆６０が傾いた状態で、図１４に示すように組み立てられる。
【００４４】
従って、シャッタユニットＣは、図３、図４、図１５に示すように、揺動杆６０の突片部６０ｃが上から押えられた状態では、上向きに傾き姿勢にある他方の係止部６０ｂがシャッタ５５の鍔片部５６ａに押し当たり、これにより、シャッタ５５をシャッタガイド６５の案内で嵌合長穴５９に沿って格納位置へ吊り上げ、シャッタケース５０内に格納状態で吊持する。一方、揺動杆６０の突片部６０ｃの押えを解除すると、揺動杆６０は、重力により支軸６７を支点に図中反時計方向に揺動し、他方の係止部６０ｂを下向きに傾動してシャッタ５５の鍔片部５６ａから外れ、これにより、シャッタ５５は、嵌合長穴５９に沿って遮蔽位置へ下降し、図２に示すように、シャッタ出入口からシール材５７が垂れて出るようになっている。シャッタユニットＣでは、このようにシャッタ５５が昇降するとき、シャッタケース５０内でのシャッタ５５の横向きの動きをシャッタガイド６５で規制してシャッタ５５の横振れを抑えている。
【００４５】
シャッタガイド６５は、全体に樹脂材のような撓み可能な弾性材でつくり、図１５および図１６に示すように、シャッタケース５０の対向側板５０ｂ・５０ｃ間の間隔に合わせた幅で、シャッタ５５の嵌合長穴５９・５９に嵌め込み可能な細長い環状のスペーサ部６５ａと、スペーサ部６５ａの片側に細長い井形鍔状に形成した押え部６５ｂと、スペーサ部６５ａの他側の緩衝アーム７０・７１からなる。緩衝アーム７０・７１は、それぞれ片持ちのハ字状に傾斜して伸びる先細な形状とし、材質上だけでなく、形態上でも撓み易くなっている。シャッタガイド６５は、スペーサ部６５ａをシャッタ５５の嵌合長穴５９・５９に嵌め込み、押え部６５ｂでシャッタ本体５６を押えて抜け止め状態でシャッタ５５の長さ方向両側に一対組み付ける。
【００４６】
従って、扉用シャッタ装置Ｒでは、開き戸Ｄを閉めてラッチ錠Ａを解錠し、シャッタ５５を上げるとき、先ず図１７、その途中の図１８、衝突時の図１９に段階的に分けて示すように、シャッタケース５０内で金属板製シャッタ５５が揺動し、同じ金属板製シャッタケース５０に近接するが、シャッタ５５とシャッタケース５０の間には、そこに向けて突出した緩衝突起７０・７１が介在するから、金属板製シャッタケース５０には樹脂製シャッタガイド６５の緩衝突起７０・７１が衝突し、シャッタ５５とシャッタケース５０の金属板同士ではなく、金属板と金属板との間に樹脂製緩衝突起７０・７１を挟んで衝突するから、緩衝突起７０・７１は衝突の強さに応じ撓み変形して衝突の衝撃を緩衝し、その結果、開き戸Ｄの開閉時に金属の衝突音が広く響きわたり不快な騒音になるのを防止して静かに開き戸Ｄを開閉することができる。
【００４７】
ところで、以上の扉用シャッタ装置Ｒにおいて、シャッタユニットＣは、シャッタケース５０の両端にシャッタキャップ６４を被せて開き戸Ｄのシャッタ取付溝９１に開いた両端溝穴９１ａを塞ぐことで見栄えを良好にする。しかし、本発明は、シャッタキャップ６４に代えて、以下に示す実施例のように、見栄えを良くする機能に加え、防音性およびシャッタ５５の捲れ防止機能を備えた多機能なシャッタキャップ９５を備えた構成にすることもできる。
【００４８】
本発明のシャッタキャップ９５は、撓み可能な弾性材、例えば樹脂材で成形し、図２０および図２１に示すように、シャッタケース５０の両端から外部へ臨む、開き戸Ｄのシャッタ取付溝９１の両端溝穴９１ａを塞ぐ遮蔽板９３と、遮蔽板９３の溝穴９１ａを塞ぐ側の板面に幅方向横向きに延びる押え板片９３ａと、押え板片９３ａとの間にシャッタケース５０の上板部５０ａが入る間隔を開けて伸びる緩衝舌片９３ｂと、緩衝舌片９３ｂの下側に、シャッタケース５０の端部を挟むのに必要な間隔をあけて緩衝舌片９３ｂと直交する長さ方向縦向きに延びる抜け止め板９３ｃ・９３ｃを突設する。
【００４９】
遮蔽板９３は、開き戸Ｄの戸先と戸尻側端面にシャッタキャップ９５をねじ止めできるように両端溝穴９１ａの高さより長く形成する。押え板片９３ａと緩衝舌片９３ｂは、共に遮蔽板９３に片持ち構造にして撓み易くする。押え板片９３ａは、緩衝舌片９３ｂと向き合う下面に幅方向に間隔をおいて複数の摩擦リブ９４を凸設して下面を滑りにくい凸凹に形成する。一方、緩衝舌片９３ｂも、先端に向かうに従い下向きに屈曲し、材質上だけでなくて形態も撓み易くする。抜け止め板９３ｃ・９３ｃは、向かい合うガイド板面７９・７９と反対の外側取付面に断面楔形に凹凸の刻み目ｙを長手方向縦向きに形成した喰込み面部８９を刻設する。
【００５０】
他方、図示実施例において、図２０に示すように、シャッタケース５０には、対向側板５０ｂ・５０ｃのそれぞれ外側面に、その下縁とそれから抜け止め板９３ｃ・９３ｃの高さ分だけ間隔を開けて２本の規制リブ９６・９６を長さ方向に平行なレール状に凸設する。
【００５１】
そこで、図示扉用シャッタ装置Ｒでは、シャッタキャップ９５を、シャッタケース５０の両端に装着して両端溝穴９１ａを塞いでいる。即ち、シャッタキャップ９５は、溝穴９１ａの開いたシャッタケース５０の上板部５０ａを押え板片９３ａと緩衝舌片９３ｂ間に差し込み、抜け止め板９３ｃ・９３ｃはシャッタケース５０の対向側板５０ｂ・５０ｃとシャッタ取付溝９１の溝壁との間に押し込んでシャッタケース５０の両端に装着する。しかる後、遮蔽板９３の上部をねじ止めして開き戸Ｄの戸先と戸尻側端面に、図２２に示すようにそれぞれシャッタキャップ９５を組み付ける。
【００５２】
従って、図示扉用シャッタ装置Ｒは、開き戸Ｄを閉めてラッチ錠Ａを解錠し、降ろしたシャッタ５５を上げるときに、先ず施錠時の図２２、途中段階の図２３および衝突時の図２４に段階的に分けて示すように、シャッタケース５０内で金属板製のシャッタ５５が揺動し、同じ金属板製シャッタケース５０の上板部５０ａに近接するが、シャッタ５５とシャッタケース５０の上板部５０ａ間には、そこに向けて屈曲した緩衝舌片９３ｂが介在するから、金属板製シャッタケース５０の上板部５０ａに、樹脂製シャッタキャップ９５の緩衝舌片９３ｂが衝突するにしても、シャッタ５５とシャッタケース５０の金属板同士ではなく、金属板と金属板との間に樹脂製の緩衝舌片９３ｂを挟んで衝突するから、緩衝舌片９３ｂは衝突の強さに応じ撓み変形して衝突の衝撃を緩衝し、その結果、開き戸Ｄの開閉時に金属の衝突音が広く響きわたり不快な騒音になるのを防止して静かに開き戸Ｄを開閉することができる。
【００５３】
ところで、このシャッタキャップ９５は、図２０に示すように、シャッタケース５０の両端に装着し、遮蔽板９３でシャッタ取付溝９１の両端溝穴９１ａを塞いで見栄えを良好にする。そのとき、シャッタキャップ９５は、シャッタケース５０の上板部５０ａを押え板片９３ａと緩衝舌片９３ｂとでくわえ込む一方、抜け止め板９３ｃ・９３ｃを規制リブ９６・９６間に係合してシャッタケース５０の両端を抱持する。しかも、シャッタキャップ９５は、シャッタケース５０の両端と、シャッタ取付溝９１の間に挿し込んだ抜け止め板９３ｃ・９３ｃに楔形に凹凸の刻み目ｙを連設して喰込み面部８９を形成するから、この喰込み面部８９において、くさびの抜け止め機能が働いて抜け止めし、たとえ通行者の足やスリッパやサンダル等が当たっても遮蔽板９３が捲れたり、キャップごと脱落したりすることがなく、組み付け強度を向上させることができる。
【００５４】
次に、図示扉用シャッタ装置Ｒにおいて、運動伝達ユニットＢは、図２５、図２６、図２７に示すように、取付ステー７３、ロッドバー７５、ジョイント７６、足部材７７およびアジャスト手段７８を備えた構成になっている。
【００５５】
取付ステー７３は、両側縁を向い合う側にそれぞれＵ形に屈曲した一対のガイド部７３ｂを有する扁平な金属製アウターレール７３ａを備える。ロッドバー７５は、細長い中空の金属製パイプで、両端にピン通し穴８６・８７を設ける。ジョイント７６は、樹脂製ピースで、接続部７６ａと嵌合凹部（嵌合部）８０を形成し、背面に取付ステー７３にスライド自在に係合した可動側のインナーレール７４を付設する。
【００５６】
足部材７７は、樹脂製ピースで、踏み付け部７７ａと軸保持部７７ｂとでブーツ形状に形成する。軸保持部７７ｂは、図２８にも示すように、軸心にガイド穴８２を貫通し、背面に取付ステー７３にスライド自在に係合する可動側のインナーレール７９を付設する。踏み付け部７７ａは、軸受底部５３の下側で踵側に軸端部を逃がす調整空間９９を有する。
【００５７】
アジャスト手段７８は、連結軸８３と、伸縮自在な弾性体８４を備える。連結軸８３は、頭部８３ａとばね巻軸部８３ｂの間の外周部を一段大径にして両端が段付形状の押え部８３ｃを設け、頭部８３ａにはピン通し穴８５が横断する。図示例では、弾性体８４として圧縮コイルばねを用いるが、板バネなど他のばね材でもよく、伸縮自在であれば、ゴム材などの他の弾性材料からなるもので構成してもよい。
【００５８】
ロッドバー７５は、その上端をジョイント７６に有する接続部７６ａの下面の軸穴に挿入し、ピン通し穴８６に通す波形スプリングピン８１の両端をカシめて上端にジョイント７６を固定する一方、連結軸８３の頭部８３ａを差し込み、同軸線上のピン通し穴８７・８５に貫挿した波形スプリングピン８９の両端をカシめて連結軸８３を下端に連結してなる。
【００５９】
そこで、運動伝達ユニットＢにおいて、ロッドバー７５は、連結軸８３のばね巻軸部８３ｂに弾性体（圧縮コイルばね）８４を巻装して足部材７７のガイド穴８２に挿入し、軸受底部５３と連結軸８３の押え部８３ｃの間で弾性体８４を長さ方向上下に伸縮自在に介装する。更にロッドバー７５は、ばね巻軸部８３ｂの下端を軸受底部５３の中心軸穴８２ａに通して調整空間９９内でＥリング９７を取り付けて足部材７７を抜け止め保持し、弾性体８４の伸縮量に応じて上下動可能に連結してリンク体Ｌを組み立てる。
【００６０】
リンク体Ｌは、図２５に示すように、ロッドバー７５のジョイント７６と足部材７７の背面に有するインナーレール７４・７９を取付ステー７３のアウターレール７３ａにスライド自在に係合し、取付ステー７３に対して直線往復動可能に連結して取付ステー７３に組み付けて運動伝達ユニットＢを組み立てる。
【００６１】
以上のような構成の運動伝達ユニットＢは、ラッチ錠（錠前）ＡとシャッタユニットＣの３体のＡＢＣユニットからなる扉用シャッタ装置Ｒとして、開き戸Ｄに取り付ける。
【００６２】
第１に、運動伝達ユニットＢは、図２、図３、図２８に示すように、戸先側縦框１０ｃと隣接する縦桟１０ｅ間に通し、ジョイント７６が錠前取付口１０ｇを正面に臨む取付位置まで挿入し、シャッタ取付溝９１から、取付ステー７３の背面を芯材である縦桟１０ｅと横框１０ｂの角部に嵌め付けて横框１０ｂ上に下部アングル板９６を介してねじ９０で固着する。以って、運動伝達ユニットＢを開き戸Ｄ内の戸先側で枠体１０に組み込む。
【００６３】
第２に、ラッチ錠Ａは、可動アーム３０の先端の連動部３０ｃを前に向けて、錠前取付口１０ｇから挿入し、連動部３０ｃを、運動伝達ユニットＢのジョイント７６の係合凹部（係合部）８０に係合してリンク体Ｌに連結する。それから、表側が錠面Ｊの取付板２８を戸先側縦框１０ｃの木口面にビス止めし、以って、ラッチ錠（錠前）Ａを開き戸Ｄ内の戸先側で枠体１０に取り付ける。
【００６４】
第３に、シャッタユニットＣは、揺動杆６０の突片部６０ｃをシャッタ取付溝９１に嵌め込み、突片部６０ｃに運動伝達ユニットＢの足部材７７を載せた状態で、シャッタケース５０の上板部５０ａを横框１０ｂにビス止めする。そのとき、足部材７７は、ロッドバー７５の長さ方向上下に弾性体８４の伸縮量範囲にわたりロッドバー７５に対して上下動可能な状態にある。それから、シャッタケース５０の両端にシャッタキャップ９５・９５を装着し、遮蔽板９３でシャッタ取付溝９１の両端溝穴９１ａを塞いで、シャッタユニットＣを開き戸Ｄ内の下端で枠体１０に取り付け、以って、本発明の扉用シャッタ装置Ｒが開き戸Ｄに組み付けられる。
【００６５】
さて、扉用シャッタ装置Ｒを取り付けた開き戸Ｄは、図４に示すように、戸枠Ｐにヒンジで戸尻側縦框１０ｄを軸として回動自在に吊り込まれる。そこで、開き戸Ｄを閉じた状態のとき、扉用シャッタ装置Ｒにおいて、ラッチ錠Ａは、図１（Ｂ）にも示すように、ラッチボルト１５のラッチ１５ａが突出してラッチ受口ｎに係合したラッチング状態にある。従って、開き戸Ｄをトイレの室内又は室外から開けるときは、レバーハンドル１２を回動操作して回動ハブ１８をハブ付勢ばね１４に抗して図中時計方向に押し回し、図１（Ａ）に示すように、ガイドフレーム１６をラッチ付勢ばね１３に抗して後方へ摺動し、それに従って、ラッチボルト１５を退避位置へ後退させてラッチ１５ａを錠ケースＭ内に引っ込め、いったんラッチ１５ａをストライク穴３９から外しラッチング状態を解除してから、開き戸Ｄを開ける。
【００６６】
一方、開き戸Ｄを開けた後、レバーハンドル１２の押し回しを止めると、ハブ付勢ばね１４の付勢力が働いて回動ハブ１９を図中反時計方向に回動し、再び図１（Ｂ）に示すように、ラッチ付勢ばね１３の付勢力が働いてガイドフレーム１６を前方へ押し戻し、ラッチボルト１５をラッチング位置に前進させて自動的にラッチ１５ａがボルト出入口２９ａから突出したラッチング状態になる。
【００６７】
このように開き戸Ｄを開閉するとき、扉用シャッタ装置Ｒは、ラッチ錠Ａの可動アーム３０を、カム付勢ばね２３により、図２および図１（Ａ）中時計方向に強く回動付勢して可動アーム３０ｃを下段位置に保持するため、運動伝達ユニットＢのロッドバー７５を、ジョイント７６に係合した可動アーム３０の連動部３０ｃが上段位置から降下した高さだけ押し下がり、図２８に示すように、足部材７７がシャッタユニットＣの揺動杆６０の突片部６０ｃ上に載った押し下げ状態にする。すると、シャッタユニットＣは、作動杆６０が支軸６７を支点として突片部６０ｃとは反対側の係止部６０ｂが上向きに傾動し、上向きに傾き姿勢にある他方の係止部６０ｂがシャッタ５５の鍔片部５６ａに押し当たり、これにより、シャッタ５５を格納位置へ吊り上げ、図３に示すように、シャッタケース５０内に格納状態で吊持する。これにより、開き戸Ｄと床面Ｆとの間には通気用に隙間Ｓが開いている。
【００６８】
ところで、運動伝達ユニットＢは、上述のように取付ステー７３の背面を芯材の縦桟１０ｅと横框１０ｂの角部に嵌め付けて横框１０ｂ上に固着して開き戸Ｄ内の戸先側で枠体１０に組み込む。そのため、開き戸Ｄの芯材の建付けにバラツキがあると、その芯材に固着して開き戸Ｄに組み込む運動伝達ユニットＢには、その取付高さ位置にずれを生じやすく、取付高さ位置にずれがあると、足部材７７が届かず、シャッタユニットＣの揺動杆６０の突片部６０ｃを十分に押し込み切れず、その結果、取付高さ位置にずれがあると、その都度、ユニットごと取り外して取付高さ位置の調整をしない限り、シャッタ５５がシャッタケース５０内に格納されず、開き戸Ｄと床面Ｆとの間に十分に通気用の隙間Ｓができないおそれがある。
【００６９】
しかし、本発明の扉用シャッタ装置Ｒは、リンク体Ｌを、取付ステー７３に対して直線往復移動可能に取付ステー７３に組み付けるが、足部材７７は、ロッドバー７５の下端に長さ方向上下に伸縮自在な弾性体８４を介して取り付け、揺動杆６０の突片部６０ｃに足部材７７を載せた状態であっても、ロッドバー７５の長さ方向上下に弾性体８４の伸縮量だけロッドバー７５に対し上下動可能であるから、運動伝達ユニットＢの取付高さ位置にずれがあると、図３０に示すように、取付位置のずれに応じて揺動杆６０の突片部６０ｃに載った足部材７７が取付高さ位置のズレに追従して弾性体８４が伸縮してズレを吸収することにより足部材７７によるシャッタ５５の押し込み不足を、手動調整の必要もなく自動的に解消し、その結果、取付位置にずれがあると、その都度、面倒な取付位置の調整を必要とすることなく、シャッタ５５がシャッタケース５０内に格納されず、開き戸Ｄと床面Ｆとの間に十分に通気用の隙間Ｓが開かない不具合の発生を防止することができる。
【００７０】
他方、開き戸Ｄを閉じて、例えばトイレを使用するため、施錠する場合は、扉用シャッタ装置Ｒは、錠前Ｋにおいて、サムタン２５を回転操作し、カム付勢ばね２３により、図２および図１（Ｂ）中反時計方向に強く回動付勢し、可動アーム３０を上段位置に保持するため、運動伝達ユニットＢのロッドバー７５が、ジョイント７６に係合した連動部３０ｃが上昇した高さだけ持ち上がり、図２９に示すように、足部材７７による揺動杆６０の突片部６０ｃの押えが解除される。すると、シャッタユニットＣでは、揺動杆６０が、図２、図１９、図２４に示すように、支軸６７を支点として突片部６０ｃとは反対側の係止部６０ｂが重力により下向きに傾動して鍔片部５６ａから外れ、シャッタ５５が遮蔽位置に降下する。以って、トイレを使用している施錠中は、シャッタ５５を降ろして開き戸Ｄと床面Ｆとの間の隙間Ｓを遮蔽する。
【００７１】
ところで、上述した図示実施の形態では、錠前がラッチ錠Ａであったが、本発明では、操作具を回動操作によって開き戸が施解錠される錠前であれば、ラッチ錠に限らず、本締め錠や鎌錠などであってもよい。
【００７２】
また、上述した図示実施の形態では、ラッチ錠Ａの回動カム２１を回動操作する操作具がサムタン２５であったが、本発明では、それに限らず、回動操作可能であれば、ノブやレバー等であってもよい。
【符号の説明】
【００７３】
Ａ              ラッチ錠（錠前）
Ｂ              運動伝達ユニット
Ｃ              シャッタユニット
Ｄ              開き戸
Ｆ              床面
Ｌ              リンク体
Ｍ              錠ケース
Ｒ              扉用シャッタ装置
Ｓ              隙間
Ｗ              防音リング
１５            ラッチボルト（錠ボルト）
１５ａ          ラッチ（頭部）
２１            回動カム
２５            サムタン（操作具）
３０            可動アーム
３０ａ          連結リブ（回動規制部）
３０ｂ          連結凸部（回動規制部）
３０ｃ          連動部
３５            第１回動規制穴（回動規制部）
３９            ストライク穴
４６            第２回転規制穴（回動規制部）
５０            シャッタケース
５５            シャッタ
６５            シャッタガイド
７５            ロッドバー
７６            ジョイント
７７            足部材
【図１】
2017025542.tif 000003
【図２】
2017025542.tif 000004
【図３】
2017025542.tif 000005
【図４】
2017025542.tif 000006
【図５】
2017025542.tif 000007
【図６】
2017025542.tif 000008
【図７】
2017025542.tif 000009
【図８】
2017025542.tif 000010
【図９】
2017025542.tif 000011
【図１０】
2017025542.tif 000012
【図１１】
2017025542.tif 000013
【図１３】
2017025542.tif 000014
【図１５】
2017025542.tif 000015
【図１６】
2017025542.tif 000016
【図１７】
2017025542.tif 000017
【図１８】
2017025542.tif 000018
【図１９】
2017025542.tif 000019
【図２０】
2017025542.tif 000020
【図２１】
2017025542.tif 000021
【図２２】
2017025542.tif 000022
【図２３】
2017025542.tif 000023
【図２４】
2017025542.tif 000024
【図２５】
2017025542.tif 000025
【図２６】
2017025542.tif 000026
【図２７】
2017025542.tif 000027
【図２８】
2017025542.tif 000028
【図２９】
2017025542.tif 000029
【図３０】
2017025542.tif 000030
【図３１】
2017025542.tif 000031
【図３２】
2017025542.tif 000032
【図３３】
2017025542.tif 000033
【図１２】
2017025542.tif 000034
【図１４】
2017025542.tif 000035